(57)【特許請求の範囲】
【請求項１】
車両用の排気マフラーに装着する装飾体において、排気マフラーの排気口または該排気口に装着される排気カバーの開口部に着脱自在に装着する略リング状の接続体を設け、該接続体の後端部を肉厚にして略リング状の装飾台を形成し、該装飾台の外周面に前記接続体側から排気口の中心方向に向かって傾斜する装飾面を形成すると共に、該装飾面に嵌合穴を凹設し、該嵌合穴は、排気口の開口方向と略平行に凹設され、各嵌合穴内に装着された全ての装飾物の装飾面を排気口の開口方向に向けて装着したことを特徴とする排気マフラー用装飾体。
【請求項２】
前記接続体は、前記排気マフラーの排気口の内側又は排気カバーの開口部の内側に嵌合すると共に、前記装飾台の外周部を前記排気マフラーの排気口又は排気カバーの開口部の外周と一致するように形成し、前記装飾面が前記排気マフラーの排気口又は排気カバーの開口部から延長されるように設けた請求項１記載の排気マフラー用装飾体。
【請求項３】
前記接続体は、前記排気マフラーの排気口の内側に装着するリング状の遮熱体を介して排気口の内側に嵌合するように設けた請求項１又は２記載の排気マフラー用装飾体。
【請求項４】
前記装飾台は金属板にて屈曲形成されると共に、装飾台の内部に略リング状の遮蔽板を設けた請求項１又は２記載の排気マフラー用装飾体。
【発明の詳細な説明】
【技術分野】
【０００１】
本発明は、各種車両のマフラーに装着してマフラーの装飾性を高めることができる排気マフラー用装飾体に関する。
【背景技術】
【０００２】
車両用のマフラーに装飾を施したものとして、特許文献１乃至特許文献４に記載されたものがある。
【０００３】
特許文献１に記載の車マフラー用排気ファンは、マフラーの排気ガス排出部に風車状の回転翼を装着し、この回転翼を走行時に発生する風の力で回転させることにより、車の排気ガスを迅速に外部へ排出させると共に、マフラーに装飾効果を与えるようにしたものである。
【０００４】
特許文献２に記載の排気マフラー用装飾物は、排気マフラーの左右両側面から排気マフラーの下方に吊り下げたチェーンに、パワーストーンと称する人工石が埋め込まれたブレス本体を装着した装飾体である。これらのチェーンやパワーストーンにより排気マフラーの装飾効果を高めようとするものである。
【０００５】
特許文献３に記載のマフラー用テールは、排気口となるテール本体の外周に、色彩やデザインを変えた装飾カラーを着脱自在に取り付けるものである。この装飾カラーを取り替えることによって、種々のデザインや色の装飾カラーを選択使用できるようにしている。
【特許文献１】登録実用新案第３００８６７９号公報
【特許文献２】登録実用新案第３０７１３４９号公報
【特許文献３】特開２００２−３２７６１３号公報
【発明の開示】
【発明が解決しようとする課題】
【０００６】
一般に車両に搭載される排気マフラーは、排気口の端部が車両のリアから僅かに見える程度に装着されるため、これまで、他人から見て有効な装飾を施すことが困難になっていた。しかも、この排気マフラーは、エンジン稼動に伴って常に振動を受けるものであり、走行時には路面近くにあるので石はねや泥はね等を受けることが多く、過酷な条件の下で使用されるものである。そのため、この排気マフラーに施す装飾においてもこのような過酷な条件に耐えられるものが必要になっていた。
【０００７】
たとえば、特許文献１に記載の排気ファンは、排気口に装着した回転翼を風車のように回転させるものであるから、振動や泥はねなどの影響でこの回転翼が破損し易い構造になっている。したがって、特許文献１に記載の装飾は耐久性に欠ける不都合がある。しかも、風車のような装飾では、意表を突いた装飾効果を期待できても高級感のある装飾効果は期待できないものである。
【０００８】
特許文献２に記載の排気マフラー用装飾物は、排気マフラーの下方に装飾用のチェーンを介して人工石が埋め込まれたブレス本体を吊り下げるものである。そのため、走行時に、このブレス本体が揺れて排気マフラーの側面に強くぶつかる虞がある。このため、人工石を埋め込んだブレス本体が破損するだけでなく、排気マフラー自体も損傷を受ける不都合がある。しかも、チェーンと人工石とによる言わばネックレス状の装飾体は、装身具として使用した場合に高級感を演出できるものである。ところが、排気マフラーにこのようなネックレス状の装飾体装着することで、その高級感が得られるものとは限らず、むしろ排気口の下にぶら下がっている装飾物に違和感を持たれてしまう虞がある。
【０００９】
特許文献３に記載のマフラー用テールは、排気マフラーの排気口に着脱自在に取り付ける装飾カラーを取り替えることによって、排気口のデザインや色を変更しようとするものである。この装飾カラーの基本構造は筒形状を成しているので、装飾カラーを取り替えても排気口の色や質感が変更されるだけのものである。たとえば、パンチングメタルによって装飾カラーを形成したとしても、筒状の基本形状が変化するものではなく、装飾カラーを取り替えることによって、言わば車両のドレスアップを狙って装着したものか、あるいは、車両に元々装着されている排気口なのか、車種に詳しい者以外には判然としない部分もあり、一般的の者から見て有効な装飾が施されているとはいえないものである。
【００１０】
そこで本発明は、上述の課題を解消すべく創出されたもので、一般の者から見てもマフラーのドレスアップとして極めて有効な装飾を施すことが可能で、しかも、エンジン稼動に伴って常に受ける振動や、石はねや泥はね等を受けるような過酷な条件に耐えることができる排気マフラー用装飾体の提供を目的とするものである。
【課題を解決するための手段】
【００１１】
本発明の第１の手段は、車両用の排気マフラーに装着する装飾体において、排気マフラーの排気口Ｐまたは該排気口Ｐに装着される排気カバーＱの開口部Ｑ１に着脱自在に装着する略リング状の接続体１を設け、該接続体１の後端部を肉厚にして略リング状の装飾台２を形成し、該装飾台２の外周面に前記接続体１側から排気口Ｐの中心方向に向かって傾斜する装飾面３を形成すると共に、該装飾面３に嵌合穴４を凹設し、該嵌合穴４は、排気口Ｐの開口方向と略平行に凹設され、各嵌合穴４内に装着された全ての装飾物５の装飾面を排気口Ｐの開口方向に向けて装着したことにある。
【００１２】
第２の手段の前記接続体１は、前記排気マフラーの排気口Ｐの内側又は排気カバーＱの開口部Ｑ１の内側に嵌合すると共に、前記装飾台２の外周部を前記排気マフラーの排気口Ｐ又は排気カバーＱの開口部Ｑ１の外周と一致するように形成し、前記装飾面３が前記排気マフラーの排気口Ｐ又は排気カバーＱの開口部Ｑ１から延長されるように設けている。
【００１３】
第３の手段の前記接続体１は、前記排気マフラーの排気口Ｐの内側に装着するリング状の遮熱体６を介して排気口Ｐの内側に嵌合するように設けている。
【００１４】
第４の手段の前記装飾台２は金属板にて屈曲形成されると共に、装飾台２の内部に略リング状の遮蔽板７を設けたものである。
【発明の効果】
【００１６】
本発明の請求項１により、接続体１の後端部を肉厚にして略リング状の装飾台２を形成し、該装飾台２の外周面に前記接続体１側から排気口Ｐの中心方向に向かって傾斜する装飾面３を形成すると共に、該装飾面３に嵌合穴４を凹設し、該嵌合穴４に宝石状の装飾物５を装着したことにより、排気マフラーの中で最も目に付く排気口Ｐや排気カバーＱに直接装飾を施すことが可能になった。この結果、たとえ車種に詳しくない一般のユーザーから見てもマフラーのドレスアップとして極めて印象深い装飾を施すことができる。また、このような装飾は、一部の高級車やスポーツカーなどにおいて排気マフラーの装飾を強調する傾向にも適合するので、車種等に強い興味を持つユーザーにとっても有効な装飾にすることが可能である。しかも、排気マフラーの排気口Ｐまたは排気カバーＱの開口部Ｑ１に接続体１を直接装着するので、エンジン稼動に伴って常に受ける振動や、石はねや泥はね等を受けるような過酷な条件に耐えることができる。また、排気口Ｐの開口方向に向けて配置した装飾物５を、車両の後方から眺めると、排気口Ｐの開口方向と略平行に凹設された各嵌合穴４の中で揃って輝いて見えるので、車両後方から見て最も有効な装飾効果が得られる。すなわち、車両走行中に後続車から最も目に付き易い排気口Ｐを、最も効果的に装飾を施すことができるものである。
【００１７】
本発明の請求項２によると、接続体１の装飾面３が前記排気マフラーの排気口Ｐ又は排気カバーＱの開口部Ｑ１から延長されるように設けているので、排気口Ｐや排気カバーＱと一体感のある装飾を施すことが可能になった。この結果、排気マフラーに宝石状の装飾物５を配置するといった大胆な装飾手段でも、この装飾物５に対する違和感を払拭することができた。
【００１８】
請求項３における遮熱体６や、請求項４における遮蔽板７を介することで、排気マフラーからの排気熱を、これら遮熱体６や遮蔽板７で遮断できるので、装飾面３に装着した装飾物５に対する熱による弊害を防止することができる。したがって、装飾物５に使用する材質等の選択肢を広げている。
【００２０】
このように、本発明によると、一般の者から見てもマフラーのドレスアップとして極めて有効な装飾を施すことが可能で、車両走行中に後続車から最も目に付き易い排気口Ｐを、最も効果的に装飾を施すことができ、しかも、エンジン稼動に伴って常に受ける振動や、石はねや泥はね等を受けるような過酷な条件に耐えることができるなどといった種々の効果を奏するものである。
【発明を実施するための最良の形態】
【００２１】
本発明の最良の形態は、排気マフラーの排気口Ｐまたは該排気口Ｐに装着される排気カバーＱの開口部Ｑ１に着脱自在に装着する略リング状の接続体１を設ける。該接続体１の後端部を肉厚にして略リング状の装飾台２を形成する。該装飾台２の外周面に前記接続体１側から排気口Ｐの中心方向に向かって傾斜する装飾面３を形成する。該装飾面３に複数の嵌合穴４を凹設し、各嵌合穴４の底部に宝石状の装飾物５を装着する。前記装飾面３を前記排気マフラーの排気口Ｐ又は排気カバーＱの開口部Ｑ１から延長されるように設ける。前記嵌合穴４を、前記排気口Ｐの開口方向と略平行に凹設し、各嵌合穴４内に装着された全ての装飾物５の装飾面を排気口Ｐの開口方向に向けて配置することで、当初の目的を達成するものである。
【実施例】
【００２２】
以下、図面を参照して本発明の実施例を詳細に説明する。本発明装飾体は、車両用の排気マフラーに装着するもので、排気マフラーの最後端部に配置されている排気口Ｐの開口部Ｐ１（図２参照）や、この排気口Ｐに装着される排気カバーＱの開口部Ｑ１（図６参照）に着脱自在に装着する装飾体である。この装飾体の主要構成は、接続体１と装飾台２、それから装飾面３と嵌合穴４、更に嵌合穴４の中に装着する装飾物５とからなるものである（図４参照）。
【００２３】
接続体１は、略リング状を成して排気口Ｐの開口部Ｐ１や排気カバーＱの開口部Ｑ１に接続する部材である。図示例の接続体１は、排気口Ｐの開口部Ｐ１内側（図３参照）、又は排気カバーＱの開口部Ｑ１内側（図７参照）に嵌合するように形成している。そして開口部Ｐ１等に嵌合した接続体１を開口部Ｐ１等の外側から止着ネジ８にてねじ止めしている（図２参照）。このとき、止着ネジ８にボックスねじを使用し、このボックスの形状を特殊な形状にすると共に、専用のボックススパナを設けることで、本発明装飾体の盗難を防止することができる。
【００２４】
装飾台２は、接続体１の後端部を肉厚にした略リング状の部材である。図２乃至図５に示す装飾台２はアルミ材等の無垢の材料で形成したものである。この場合、図５に示す如く、排気口Ｐの内側に装着するリング状の遮熱体６を介して排気口Ｐの内側に嵌合するように設けることで、排気熱による装飾台２の過熱を防止することができる。また、図示の無垢材から成る装飾台２は、排気口Ｐの開口部Ｐ１に直接装着しているが、止着ネジ８を使用して排気カバーＱの開口部Ｑ１に装着することも可能である（図示せず）。
【００２５】
一方、図６乃至図９に示す装飾台２は、金属板にて屈曲形成されている。図示の装飾台２は、排気口Ｐの外側面に装着する排気カバーＱの開口部Ｑ１に装着したものである。この排気カバーＱは、排気口Ｐの周囲に巻き付ける締め付バンドＱ１と、この締め付バンドＱ１の周囲に設けられた間隔保持具Ｑ２とによって排気口Ｐに装着するものである（図７参照）。また、装飾台２の内部に略リング状の遮蔽板７を設けることで、装飾台２全体の過熱を防止することができる（図８参照）。
【００２６】
更に図示例では、装飾台２の外周部を、前記排気マフラーの排気口Ｐ又は排気カバーＱの開口部Ｑ１の外周と一致するように形成し、装飾面３が前記排気マフラーの排気口Ｐ又は排気カバーＱの開口部Ｑ１から延長されるように設けている（図２、図６参照）。このように装飾台２を形成することで、排気口Ｐや排気カバーＱと一体感のある装飾を施すことが可能になる。このような一体感は、後述する宝石状の装飾物５を配置する場合の違和感を払拭するために必要である。
【００２７】
また、接続体１を開口部Ｐ１や開口部Ｑ１の外側に嵌合させても良い（図示せず）。この場合、排気口Ｐ等と装飾台２とのつなぎ目を連続させるなど、排気口Ｐ等と装飾台２とが一体感を有するように装着することが必要である。
【００２８】
装飾面３は、装飾台２の外周面に形成した傾斜面で、装飾台２の前記接続体１側から排気口Ｐの中心方向に向かって傾斜するように設けている（図２、図６参照）。図示例の装飾面３は排気口Ｐの中心位置から同芯円状に形成しているが（図１参照）、この装飾面３を排気口Ｐの中心位置から偏芯させてもよい（図示せず）。この場合、装飾面３が広くなる面と狭くなる面とが生じることになるので、装飾面３に施す嵌合穴４や装飾物５のデザイン性を広げることができる。
【００２９】
嵌合穴４は、装飾面３に凹設する穴で、単数又は複数個設けられる。そして、各嵌合穴４に宝石状の装飾物５を装着する（図４、図８参照）。図示の嵌合穴４は、前記排気口Ｐの開口方向と略平行に複数個凹設されている。一方、各嵌合穴４の底部に装着された全ての装飾物５は、装飾面３を排気口Ｐの開口方向に向けて配置している。嵌合穴４や装飾物５をこのように配置することにより、特に、後方からの視認性を良好にすることができる。尤も、嵌合穴４の凹設角度やサイズ、装飾物５の装着位置などは、デザインの変更に伴って自由に変更することができる。
【００３０】
装飾物５は、特に宝石状の装飾物５を使用する（図１０参照）。図示例では、ブリリアントカットのダイヤモンド状を成している。また、この材質として例えばクリスタルガラスなどが好適であるが、装飾物５の材質やデザインの変更も自由に行うことができる。このような装飾物５を嵌合穴４内の底部に装着することで、嵌合穴４内全体を輝かせることが可能になる共に、装飾面３の光沢とのバランスも良好で極めて高級感のある装飾を施すことができる。
【００３１】
尚、図示例の各構成は、本発明の一実施例に過ぎず、本発明の各構成部の設計変更や材質の変更など、本発明の要旨を変更しない技術範囲で自由に変更することができるものである。
【図面の簡単な説明】
【００３２】
【図１】本発明の一実施例を示す正面図である。
【図２】本発明の使用状態を示す側面図である。
【図３】本発明の使用状態を示す側断面図である。
【図４】本発明の使用状態を示す分解側断面図である。
【図５】本発明の他の使用状態を示す分解側断面図である。
【図６】本発明の他の実施例を示す側面図である。
【図７】本発明の他の実施例を示す側断面図である。
【図８】本発明の他の実施例を示す分解側断面図である。
【図９】本発明の他の実施例を示す正断面図である。
【図１０】本発明の一実施例を示す要部拡大斜視図である。
【符号の説明】
【００３３】
Ｐ  排気口        Ｐ１  開口部
Ｑ  排気カバー    Ｑ１  締め付バンド
Ｑ２  間隔保持具
１  接続体
２  装飾台
３  装飾面
４  嵌合穴
５  装飾物
６  遮熱体
７  遮蔽板
８  止着ネジ
【図１】
0004711186.tif 000002
【図２】
0004711186.tif 000003
【図３】
0004711186.tif 000004
【図４】
0004711186.tif 000005
【図５】
0004711186.tif 000006
【図６】
0004711186.tif 000007
【図７】
0004711186.tif 000008
【図８】
0004711186.tif 000009
【図９】
0004711186.tif 000010
【図１０】
0004711186.tif 000011